【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
方法であって、
複数の眼底画像を取得するために、眼の眼底を撮影する工程と、
複数の断層画像を取得するために前記眼底を撮影する工程と、
前記複数の眼底画像に基づいて、前記眼の眼底の動きを決定する工程と、
前記決定された眼底の動きを追跡する工程と、
前記眼底の動きを追跡することができない間の時間を含む時間内で撮影された断層画像の数と位置を決定する工程と、
前記決定された数の断層画像を、前記決定された位置で再度撮影する工程と、
を有することを特徴とする方法。
【請求項２】
眼底画像を取得するための前記眼底の撮影、および断層画像を取得するための前記眼底の撮影は同期して開始することを特徴とする請求項１に記載の方法。
【請求項３】
前記眼底の動きを追跡することができない間の時間は、断層画像において位置ずれがあるかどうかを決定するための時間を含むことを特徴とする請求項１または２に記載の方法。
【請求項４】
前記眼底の動きを追跡することができない間の時間は、前記追跡のためのフィードバックの遅れを含むことを特徴とする請求項１乃至３のいずれか１項に記載の方法。
【請求項５】
前記眼底の動きを決定する工程は、２つの眼底画像を比較する工程を有することを特徴とする請求項１乃至４のいずれか１項に記載の方法。
【請求項６】
前記時間内で撮影された前記断層画像を前記再度撮影された断層画像で置き換える工程を更に有することを特徴とする請求項１乃至５のいずれか１項に記載の方法。
【請求項７】
前記眼底の動きが追跡できない場合にフェイルフラグを出力する工程を更に有することを特徴とする請求項１乃至６のいずれか１項に記載の方法。
【請求項８】
前記眼底画像は２次元の画像であることを特徴とする請求項１乃至７のいずれか１項に記載の方法。
【請求項９】
前記眼底画像は、走査型レーザー検眼鏡により撮影された画像であることを特徴とする請求項１乃至８のいずれか１項に記載の方法。
【請求項１０】
前記断層画像は、光干渉断層撮影装置のｂ−スキャンに基づく画像であることを特徴とする請求項１乃至９のいずれか１項に記載の方法。
【請求項１１】
処理装置と共に使用するための光干渉断層撮影装置であって、前記光干渉断層撮影装置が、
複数の断層画像を取得するために眼の眼底の画像を取得する撮影手段と、
前記処理装置により処理された複数の眼底画像に基づいて前記眼底の動きを追跡することができない間の時間を含む時間内で撮影された断層画像の数および位置を受信する通信手段と、
前記通信手段で受信した断層画像の数および位置に対応する断層画像を再度撮影し、前記処理装置により処理された複数の眼底画像に基づいて前記眼底の動きを追跡することができない間の時間を含む時間内で撮影された断層画像を、前記再度撮影された断層画像で置き換えるためのプロセッサと、
を備えることを特徴とする光干渉断層撮影装置。
【請求項１２】
前記撮影手段による前記眼底の領域内での断層画像の撮影開始と、眼底撮影装置による前記眼底の同じ領域における撮影開始とを同期させる同期手段を更に備えることを特徴とする請求項１１に記載の光干渉断層撮影装置。
【請求項１３】
前記処理装置から受信したオフセットに従って断層画像の位置を補正する補正手段を更に備えることを特徴とする請求項１１または１２に記載の光干渉断層撮影装置。
【請求項１４】
眼の撮影中に眼の動きを補正するためのシステムであって、
処理装置が、
眼底撮影装置で撮影された眼底画像と比較した断層画像の配置を決定し、かつ、前記眼底画像の位置と参照眼底画像との間のオフセットを計測して、光干渉断層撮影装置により撮影された断層画像の配置を被検眼の眼底とを比較するオフセット計測手段と、
前記オフセット計測手段により計測された前記オフセットに基づいて、後に撮影された断層画像の位置を補正する補正手段と、
前記オフセット計測手段が前記オフセットを計測している間に撮影された断層画像の数を算出する算出手段と、
前記算出手段により算出された前記断層画像の数を前記光干渉断層撮影装置に伝達する通信手段と、を備え、
光干渉断層撮影装置が、
複数の断層画像を取得するために眼の眼底の画像を取得する撮影手段と、
前記処理装置が前記眼底に対する断層画像の位置のオフセットを算出した間に撮影された断層画像の数を受信する通信手段と、
前記通信手段で受信した断層画像の数に対応する断層画像を再度撮影し、前記処理装置が前記眼底に対する断層画像の位置のオフセットを算出した間に撮影された断層画像を前記再度撮影された断層画像で置き換えるためのプロセッサと、を備え、
眼底撮影装置が、
眼底画像を取得するために眼の眼底の画像を撮影するための撮影手段と、
前記撮影手段による前記眼底の領域内での撮影開始と、光干渉断層撮影装置による前記眼底の同じ領域における撮影開始とを同期させる同期手段と、
を備えることを特徴とするシステム。
【請求項１５】
前記眼底撮影装置による前記眼底の撮影と、前記光干渉断層撮影装置による前記断層画像の撮影との同期を制御するための同期コントローラを更に備えることを特徴とする請求項１４に記載のシステム。
【請求項１６】
コンピュータが動作したときに、前記コンピュータに以下の方法の各工程を実行させるプログラムであって、前記方法が、
複数の眼底画像を取得するために、眼の眼底を撮影する工程と、
複数の断層画像を取得するために前記眼底を撮影する工程と、
前記複数の眼底画像に基づいて、前記眼の眼底の動きを決定する工程と、
前記眼底の動きを追跡することができない間の時間を含む時間内で撮影された断層画像の数と位置を決定する工程と、
前記決定された数の断層画像を、前記決定された位置で再度撮影する工程と、
を有することを特徴とするプログラム。
【請求項１７】
コンピュータが動作したときに、前記コンピュータに以下の方法の各工程を実行させるプログラムを記憶した記憶媒体であって、前記方法が、
複数の眼底画像を取得するために、眼の眼底を撮影する工程と、
複数の断層画像を取得するために前記眼底を撮影する工程と、
前記複数の眼底画像に基づいて、前記眼の眼底の動きを決定する工程と、
前記眼底の動きを追跡することができない間の時間を含む時間内で撮影された断層画像の数と位置を決定する工程と、
前記決定された数の断層画像を、前記決定された位置で再度撮影する工程と、
を有することを特徴とする記憶媒体。
【手続補正２】
【補正対象書類名】明細書
【補正対象項目名】発明の名称
【補正方法】変更
【補正の内容】
【発明の名称】方法、光干渉断層撮影装置、システム、プログラムおよび記憶媒体
【手続補正３】
【補正対象書類名】明細書
【補正対象項目名】００２５
【補正方法】変更
【補正の内容】
【００２５】
本発明によれば、複数の眼底画像を取得するために、眼の眼底を撮影する工程と、
複数の断層画像を取得するために前記眼底を撮影する工程と、
前記複数の眼底画像に基づいて、前記眼の眼底の動きを決定する工程と、
前記決定された眼底の動きを追跡する工程と、
前記眼底の動きを追跡することができない間の時間を含む時間内で撮影された断層画像の数と位置を決定する工程と、
前記決定された数の断層画像を、前記決定された位置で再度撮影する工程と、
を有することを特徴とする方法が提供される。
【手続補正４】
【補正対象書類名】明細書
【補正対象項目名】００２６
【補正方法】削除
【補正の内容】
【手続補正５】
【補正対象書類名】明細書
【補正対象項目名】００２７
【補正方法】変更
【補正の内容】
【００２７】
本発明によれば、処理装置と共に使用するための光干渉断層撮影装置であって、前記光干渉断層撮影装置が、
複数の断層画像を取得するために眼の眼底の画像を取得する撮影手段と、
前記処理装置により処理された複数の眼底画像に基づいて前記眼底の動きを追跡することができない間の時間を含む時間内で撮影された断層画像の数および位置を受信する通信手段と、
前記通信手段で受信した断層画像の数および位置に対応する断層画像を再度撮影し、前記処理装置により処理された複数の眼底画像に基づいて前記眼底の動きを追跡することができない間の時間を含む時間内で撮影された断層画像を、前記再度撮影された断層画像で置き換えるためのプロセッサと、
を備えることを特徴とする光干渉断層撮影装置が提供される。
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】変更
【補正の内容】
【００２９】
本発明によれば、眼の撮影中に眼の動きを補正するためのシステムであって、
処理装置が、
眼底撮影装置で撮影された眼底画像と比較した断層画像の配置を決定し、かつ、前記眼底画像の位置と参照眼底画像との間のオフセットを計測して、光干渉断層撮影装置により撮影された断層画像の配置を被検眼の眼底とを比較するオフセット計測手段と、
前記オフセット計測手段により計測された前記オフセットに基づいて、後に撮影された断層画像の位置を補正する補正手段と、
前記オフセット計測手段が前記オフセットを計測している間に撮影された断層画像の数を算出する算出手段と、
前記算出手段により算出された前記断層画像の数を前記光干渉断層撮影装置に伝達する通信手段と、を備え、
光干渉断層撮影装置が、
複数の断層画像を取得するために眼の眼底の画像を取得する撮影手段と、
前記処理装置が前記眼底に対する断層画像の位置のオフセットを算出した間に撮影された断層画像の数を受信する通信手段と、
前記通信手段で受信した断層画像の数に対応する断層画像を再度撮影し、前記処理装置が前記眼底に対する断層画像の位置のオフセットを算出した間に撮影された断層画像を前記再度撮影された断層画像で置き換えるためのプロセッサと、を備え、
眼底撮影装置が、
眼底画像を取得するために眼の眼底の画像を撮影するための撮影手段と、
前記撮影手段による前記眼底の領域内での撮影開始と、光干渉断層撮影装置による前記眼底の同じ領域における撮影開始とを同期させる同期手段と、
を備えることを特徴とするシステムが提供される。
【手続補正８】
【補正対象書類名】明細書
【補正対象項目名】００３０
【補正方法】変更
【補正の内容】
【００３０】
本発明によれば、コンピュータが動作したときに、前記コンピュータに以下の方法の各工程を実行させるプログラムであって、前記方法が、
複数の眼底画像を取得するために、眼の眼底を撮影する工程と、
複数の断層画像を取得するために前記眼底を撮影する工程と、
前記複数の眼底画像に基づいて、前記眼の眼底の動きを決定する工程と、
前記眼底の動きを追跡することができない間の時間を含む時間内で撮影された断層画像の数と位置を決定する工程と、
前記決定された数の断層画像を、前記決定された位置で再度撮影する工程と、
を有することを特徴とするプログラムが提供され、
コンピュータが動作したときに、前記コンピュータに以下の方法の各工程を実行させるプログラムを記憶した記憶媒体であって、前記方法が、
複数の眼底画像を取得するために、眼の眼底を撮影する工程と、
複数の断層画像を取得するために前記眼底を撮影する工程と、
前記複数の眼底画像に基づいて、前記眼の眼底の動きを決定する工程と、
前記眼底の動きを追跡することができない間の時間を含む時間内で撮影された断層画像の数と位置を決定する工程と、
前記決定された数の断層画像を、前記決定された位置で再度撮影する工程と、
を有することを特徴とする記憶媒体が提供される。